(57)【要約】【課題】メンテナンス性を向上できる空気浄化装置を提供することを目的とする。【解決手段】本体ケース１の前面側には開閉可能な扉３を備え、本体ケース１内には送風機９と空気浄化部１０とを設け、空気浄化部１０は、トレイ部分１７と、タンク部分１８と、電解ユニット１０Ａと、フィルター部分１９とを備えている。送風機９によって吸気口２から吸い込まれた空気がフィルター部分１９を介して吹出口５へ送風される。本体ケース１内にはトレイ部分１７内に投入する塩化ナトリウムが入った塩化ナトリウム保管ケース２７を備え、塩化ナトリウム保管ケース２７はタンク部分１８の上方に設けた塩化ナトリウム保持部材２８に着脱自在に設けられている。扉３を開けると本体ケース１内にトレイ部分１７とタンク部分１８と塩化ナトリウム保管ケース２７が見えることを特徴とする空気浄化装置。【選択図】図７
2017108985.tif 000002
【特許請求の範囲】
【請求項１】
本体ケースは吸気口と吹出口とを有し、
前記本体ケースの前面側には開閉可能な扉を備え、
前記本体ケース内には送風機と空気浄化部とを設け、
前記空気浄化部は、
水を貯水するトレイ部分と、
前記トレイ部分に水を供給するタンク部分と、
前記トレイ部分内の水で電解水を生成する電解ユニットと、
前記トレイ部分内の水に一部が浸漬したフィルター部分とを備え、
前記送風機によって前記吸気口から吸い込まれた空気が前記フィルター部分を介して前記吹出口へ送風され、
前記本体ケース内には前記トレイ部分内に投入する塩化ナトリウムが入った塩化ナトリウム保管ケースを備え、
前記塩化ナトリウム保管ケースは前記タンク部分の上方に設けた塩化ナトリウム保持部材に着脱自在に設けられ、
前記扉を開けると前記本体ケース内に前記トレイ部分と前記タンク部分と前記塩化ナトリウム保管ケースを目視できることを特徴とする空気浄化装置。
【請求項２】
前記扉は内側には補強用の補強バーを備え、
前記扉を閉じると前記補強バーと前記塩化ナトリウム保管ケースとが対向するように設けられ、
前記塩化ナトリウム保管ケースが前記塩化ナトリウム保持部材からはみ出た状態で前記扉を閉じると、
前記補強バーによって前記塩化ナトリウム保管ケースが前記塩化ナトリウム保持部材へ押し込まれることを特徴とする請求項１に記載の空気浄化装置。
【請求項３】
前記塩化ナトリウム保持部材の横には空間部を設け、
前記タンク部分は上部に取手を有し、
前記取手の上方には前記空間部を備えたことを特徴とする請求項２に記載の空気浄化装置。
【請求項４】
前記扉を閉じると前記補強バーの一部は前記空間部に入ることを特徴とする請求項３に記載の空気浄化装置。
【請求項５】
前記補強バーにおける前記扉の内面から前記本体ケース内へ突出している寸法は、
前記塩化ナトリウム保管ケースとが対向する部分より前記空間部に入る部分の方が大きいことを特徴とする請求項４に記載の空気浄化装置。
【発明の詳細な説明】
【技術分野】
【０００１】
本発明は、水に通電することにより得られる電解水を用いて、空気中の細菌、真菌、ウイルス、臭いなどの除去を行う空気浄化装置に関するものである。
【背景技術】
【０００２】
従来のこの種の空気浄化装置の構造は、以下のようになっていた。
【０００３】
すなわち、水道水に食塩水タンクから食塩を自動投入し、電気分解して電解水を生成させ、この電解水をフィルター部に供給し、空気と電解水を接触させ、空気中に浮遊するウイルス等の除去を図る構成となっていた（例えば下記特許文献１）。
【先行技術文献】
【特許文献】
【０００４】
【特許文献１】特開２０１０−２９２４４号公報
【発明の概要】
【発明が解決しようとする課題】
【０００５】
塩水タンクを備え、塩水を自動投入するこの種の方法では、供給するためのポンプを設置する必要があり、また塩水による錆に対応するため、塩水経路に防錆処理を施す必要があり、装置が大型化、高コスト化するという課題があった。
【０００６】
また、供給する水道水にユーザーが運転の度に、塩を投入する方法もあるが、利用者が運転の度に塩を投入すると、塩の投入を忘れるなどの不具合が想定される。
【０００７】
そこで、本発明は上記課題を解決するものであり、ユーザーに塩の投入を促すことにより塩投入を忘れるのを防止し、安定的な電解水の生成を行うことができる空気浄化装置を提供することを目的とするものである。
【課題を解決するための手段】
【０００８】
そして、この目的を達成するために本発明は、本体ケースは吸気口と吹出口とを有し、前記本体ケースの前面側には開閉可能な扉を備え、前記本体ケース内には送風機と空気浄化部とを設け、前記空気浄化部は、水を貯水するトレイ部分と、前記トレイ部分に水を供給するタンク部分と、前記トレイ部分内の水で電解水を生成する電解ユニットと、前記トレイ部分内の水に一部が浸漬したフィルター部分とを備え、前記送風機によって前記吸気口から吸い込まれた空気が前記フィルター部分を介して前記吹出口へ送風され、前記本体ケース内には前記トレイ部分内に投入する塩化ナトリウムが入った塩化ナトリウム保管ケースを備え、前記塩化ナトリウム保管ケースは前記タンク部分の上方に設けた塩化ナトリウム保持部材に着脱自在に設けられ、前記扉を開けると前記本体ケース内に前記トレイ部分と前記タンク部分と前記塩化ナトリウム保管ケースを目視できることを特徴としたものであり、これら手段により、初期の目的を達成するものである。
【発明の効果】
【０００９】
以上のように本発明は、本体ケースは吸気口と吹出口とを有し、前記本体ケースの前面側には開閉可能な扉を備え、前記本体ケース内には送風機と空気浄化部とを設け、前記空気浄化部は、水を貯水するトレイ部分と、前記トレイ部分に水を供給するタンク部分と、前記トレイ部分内の水で電解水を生成する電解ユニットと、前記トレイ部分内の水に一部が浸漬したフィルター部分とを備え、前記送風機によって前記吸気口から吸い込まれた空気が前記フィルター部分を介して前記吹出口へ送風され、前記本体ケース内には前記トレイ部分内に投入する塩化ナトリウムが入った塩化ナトリウム保管ケースを備え、前記塩化ナトリウム保管ケースは前記タンク部分の上方に設けた塩化ナトリウム保持部材に着脱自在に設けられ、前記扉を開けると前記本体ケース内に前記トレイ部分と前記タンク部分と前記塩化ナトリウム保管ケースを目視できることを特徴とするものであるので、ユーザーに塩の投入を促すことにより塩投入を忘れるのを防止し、安定的な電解水の生成を行うことができる空気浄化装置を提供することができる。
【図面の簡単な説明】
【００１０】
【図１】本発明の実施の形態１の加湿装置の斜視図
【図２】同加湿装置の斜視図
【図３】同加湿装置の天面パネルの平面図
【図４】同加湿装置の断面図
【図５】同加湿装置の斜視図
【図６】同加湿装置の斜視図
【図７】同加湿装置の斜視図
【発明を実施するための形態】
【００１１】
以下、本発明の実施形態について図面を参照しながら説明する。
【００１２】
（実施の形態１）
図１は、本発明の実施の形態１の加湿装置の斜視図であり、加湿装置を前面側から見た図である。図２は、本発明の実施の形態１の加湿装置の斜視図であり、加湿装置の天面パネルを外し前面側から見た図である。
【００１３】
図１、図２に示すように、本実施形態の加湿装置においては、略箱形状の本体ケース１を備え、本体ケース１の両側面には略四角形状の吸気口２を有している。本体ケース１の前面には開閉可能な扉３を備え、扉を開くと後述する本体ケース１内の空気浄化部を取り出すことが出来る。
【００１４】
本体ケース１は、上面の背面側には天面パネル４を備えている。天面パネル４は、本体ケース１上面の吹出口５に設けられている。天面パネル４は、横長四角板形状で、中央に矩形状の中心軸が上下方向に延びた筒形状である開口部６を備えている。開口部６は、本体ケース１の吹出口５と連通している。
【００１５】
図３は、本発明の実施の形態１の加湿装置の平面図である。図３は、加湿装置を上方から見た図である。
【００１６】
図３に示すように、天面パネル４の開口部６には、多数の孔を有した格子部７と、風向を変更する風向板８を備えている。格子部７は開口部６下部の水平に配置され、多数の孔は指が入らない大きさである。格子部７の上方には、複数の風向板８が、本体ケース１における前後方向へ回動自在に設けられている。なお、格子部７は、異物や指が入らないように、カーバーするためのものであり、網目形状も含むものである。
【００１７】
図４は、本発明の実施の形態１の加湿装置の断面図であり、加湿装置を右側から見た図である。図５は、本発明の実施の形態１の加湿装置の斜視図であり、加湿装置の扉を開き、加湿部を引き出し前面側から見た図である。図６は、本発明の実施の形態１の加湿装置の斜視図であり、加湿装置の扉を開き、タンク部分を取り出し、前面側から見た図である。
【００１８】
図４、図５、図６に示すように、扉３を開くと、本体ケース１内には、送風機９と、空気浄化部１０と、風路１１とを備えている。
【００１９】
扉３は、縦長の平板形状で、本体ケース１における左側に回動中心となる回動軸部３Ａを備えている。これにより、扉３は、本体ケース１における右側から開口する。扉３の内面には、上部と下部に水平方向に延びた補強バー３Ｂを備えている。
【００２０】
送風機は、本体ケースの背面側中央部に設けられ、モータ部１２とモータ部１２により回転するファン部１３とそれらを囲むケーシング部１４とを備えている。
【００２１】
ファン部１３は、シロッコファンで、モータ部１２から水平方向に延びたモータ軸（図示せず）に固定され、モータ部１２は、ケーシング部１４に固定されている。ケーシング部１４は、ケーシング部１４の本体ケース１における上面側に吐出口１５を備え、ケーシング部１４の本体ケース１における前面側に吸込口１６を有している。
【００２２】
空気浄化部１０は、水を貯水するトレイ部分１７と、トレイ部分１７に水を供給するタンク部分１８と、トレイ部分１７内の水で電解水を生成する電解ユニット１０Ａと、トレイ部分１７内の水に一部が浸漬したフィルター部分１９とを備えている。トレイ部分１７とフィルター部分１９は、送風機９より下方に配置されている。
【００２３】
トレイ部分１７は、天面を開口した箱形状をしており、水を貯水できる構造となっており、本体ケース１の下部に配置され、本体ケース１から水平方向にスライドして着脱可能となっている。
【００２４】
タンク部分１８は、本体ケース１内部の前面側に設置され、トレイ部分１７から着脱可能な構造となっている。タンク部分１８は、水を貯水する中空形状であるタンク２０と、タンク２０と一体となった取手２１とを備えている。
【００２５】
タンク部分１８は、下部にタンク開口（図示せず）を備え、このタンク開口をキャップ２２により密閉できる構造となっているが、トレイ部分１７にタンク部分１８を設置すると、キャップ２２に設けられた水栓が解放され、水がトレイ部分１７に供給される構造となっている。水面が水栓まで上昇してくると、水面によりタンク部分１８が密閉され、水の供給が停止し、常に一定量の水を供給することができる。
【００２６】
電解ユニット１０Ａは、電極部材１０Ｂと移動保持部材１０Ｃとを備えており、この電極部材１０Ｂがトレイ部分１７内の水に浸かるように設置され、この電極部材１０Ｂに通電することによりトレイ部分１７内の塩化物イオンを含む水（本実施例では水道水に塩化ナトリウムを溶解させた水）を電気化学的に電気分解することにより、電解水を生成させる。電極部材１０Ｂは、移動保持部材１０Ｃによって、上下方向へ移動自在に保持されている。
【００２７】
フィルター部分１９は、トレイ部分１７において電極部材１０Ｂにより生成された電解水と、送風機９によって本体ケース１内に吸込まれた室内空気とを接触させる部材である。円筒状に構成され、円周部分に空気が流通可能な孔を備えたフィルター２３を配置し、その一端がトレイ部分１７の電解水に浸漬するように、トレイ部分１７に回転自在に内蔵されている。そして、駆動部（図示しない）による回転され、電解水と室内空気を連続的に接触させる構造となっている。
【００２８】
本体ケース１の上部には、送風機９と空気浄化部１０とを制御する制御部２４を備えている。制御部２４は、基板部分２５と、基板部分を覆う基板ケース部分２６とを有している。
【００２９】
以上の構成において、空気浄化の動作を説明する。
【００３０】
タンク部分１８により水道水がトレイ部分１７に供給される。このときユーザーにより、塩化ナトリウムが同時にトレイ部分１７に投入される。塩化物イオンを含んだ水に対して、電極部材１０Ｂにより通電され、電気分解して、活性酸素種を含む電解水を生成する。
【００３１】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００３２】
吸気口２から吸い込んだ室内空気は、順に、空気浄化部１０であるフィルター２３、送風機９、吹出口５を介して、開口部６から吹き出される。
【００３３】
電解水は、フィルター部分１９の回転によりフィルター２３全体を浸漬し、送風機９により、吸気口２から本体ケース１内に吸込まれた室内空気と接触することになる。
【００３４】
室内空気とともに本体ケース内に吸込まれる、空気中の細菌、真菌（カビ）、ウイルス、臭い成分などは、フィルター２３上で、電解水と接触することにより、分解、不活化などがなされ、浄化された空気が、吹出口５を介し開口部６から、室内に供給されることになる。
【００３５】
図７は、本発明の実施の形態１の加湿装置の斜視図であり、加湿装置の扉を開き、前面側から見た図である。
【００３６】
図７に示すように、本実施形態における特徴は、本体ケース１内に、トレイ部分１７内に投入する塩化ナトリウムが入った塩化ナトリウム保管ケース２７を備えている点である。
【００３７】
塩化ナトリウム保管ケース２７は、上面に開口（図示せず）を有した中空縦長円柱形状の保管容器２７Ａと、この開口に設けた蓋２７Ｂとから形成されている。塩化ナトリウム保管ケース２７はタンク部分１８の上方に設けた塩化ナトリウム保持部材２８に着脱自在に設けられている。塩化ナトリウム保持部材２８は、本体ケース１内から本体ケース１における前面側に延びた上面が凹形状の板である。塩化ナトリウム保管ケース２７は、塩化ナトリウム保持部材２８における凹形状の上面に置かれているので、扉３を開けると本体ケース１内にトレイ部分１７とタンク部分１８と塩化ナトリウム保管ケース２７が見えるものである。
【００３８】
このように、タンク部分１８の上方に塩化ナトリウム保持部材２８を設けており、トレイ部分にタンク部分を装着するときに、塩化ナトリウム保管ケースが見えるので、ユーザーに塩の投入を促すことにより塩投入を忘れるのを防止し、安定的な電解水の生成を行うことができる。
【００３９】
また、扉３は内側には補強用の補強バー３Ｂを備え、補強バー３Ｂは扉を閉じると塩化ナトリウム保管ケース２７とが対向するように設けられている。仮に、塩化ナトリウム保管ケース２７が塩化ナトリウム保持部材２８からはみ出た状態で扉３を閉じると、補強バー３Ｂによって塩化ナトリウム保管ケース２７が塩化ナトリウム保持部材２８へ押し込まれる。
【００４０】
これにより、塩化ナトリウム保管ケース２７を塩化ナトリウム保持部材２８へより確実に装着できる。
【００４１】
また、塩化ナトリウム保持部材２８の横には空間部２９を設け、タンク部分１８は上部に水平方向に延びた取手２１を有し、取手２１の上方には空間部２９を備えている。空間部２９は、回動軸部３Ａと塩化ナトリウム保持部材２８との間にある。
【００４２】
本体ケース１の前面側から見ると、本体ケース１の下部にタンク部分１８を備え、タンク部分１８の右側上方には、塩化ナトリウム保持部材２８を備えている。タンク部分１８は、上部中央部に取手２１を備えている。この取手２１の上方に空間部２９を設けている。これにより、タンク部分１８を斜め上方へ持ち上げる場合に、取手２１がつかみ易くなる。
【００４３】
また、扉３を閉じると補強バー３Ｂの一部は空間部２９に入る。具体的には、補強バー３Ｂにおける扉の内面から本体ケース１内へ突出している寸法は、塩化ナトリウム保管ケース２７とが対向する部分より空間部２９に入る部分の方が大きい。これにより、扉３を閉じると扉３の補強バー３Ｂの一部がタンク部分１８上方の空間部２９に入ることにより、たとえば塩化ナトリウム保管ケース２７が所定の場所に収納されていない場合に塩化ナトリウム保管ケース２７が空間部２９に飛び出し、補強バー３Ｂを干渉し、扉３を閉じることが出来ず、塩化ナトリウム保管ケース２７が所定の場所に収納されていないことを容易に判断できる効果のある空気浄化装置を提供できる。更に、補強バー３Ｂの剛性が向上し、扉３の傾きを低減できる。
【産業上の利用可能性】
【００４４】
本発明は、空間に浮遊する微生物を除去する空気浄化装置として適している。
【符号の説明】
【００４５】
１    本体ケース
２    吸気口
３    扉
３Ａ    回動軸部
３Ｂ    補強バー
４    天面パネル
５    吹出口
６    開口部
７    格子部
８    風向板
９    送風機
１０    空気浄化部
１０Ａ    電解ユニット
１０Ｂ    電極部材
１０Ｃ    移動保持部材
１１    風路
１２    モータ部
１３    ファン部
１４    ケーシング部
１５    吐出口
１６    吸込口
１７    トレイ部分
１８    タンク部分
１９    フィルター部分
２０    タンク
２１    取手
２２    キャップ
２３    フィルター
２４    制御部
２５    基板部分
２６    基板ケース部分
２７    塩化ナトリウム保管ケース
２７Ａ    保管容器
２７Ｂ    蓋
２８    塩化ナトリウム保持部材
２９    空間部
【図１】
2017108985.tif 000003
【図２】
2017108985.tif 000004
【図３】
2017108985.tif 000005
【図４】
2017108985.tif 000006
【図５】
2017108985.tif 000007
【図６】
2017108985.tif 000008
【図７】
2017108985.tif 000009